【手続補正書】
【提出日】平成26年2月10日(2014.2.10)
【手続補正１】
【補正対象書類名】特許請求の範囲
【補正対象項目名】全文
【補正方法】変更
【補正の内容】
【特許請求の範囲】
【請求項１】
第１の画像形成装置と、前記第１の画像形成装置の上流側に接続される第２の画像形成装置とを有し、前記第１の画像形成装置から排出されるシートの搬送速度に応じてシートを受け取る速度が切り替えられる後処理装置に接続される画像形成システムにおいて、
シートの一方の面に画像形成を行い、前記後処理装置へ排出する片面画像形成モードと、シートの両面に画像形成を行い、前記後処理装置へ排出する両面画像形成モードとを実行するよう前記第１及び第２の画像形成装置を制御する画像形成制御手段と、
画像形成されたシートの表となる画像が下向きで前記後処理装置へ排出されるようにシートの表裏を反転する反転手段と、
前記反転手段により反転されたシートが第１の速度で前記後処理装置へ排出され、前記反転手段より反転されないシートが前記第１の速度よりも遅い第２の速度で前記後処理装置へ排出されるよう、シートの搬送速度を制御する速度制御手段と、を有し、
前記画像形成制御手段は、前記片面画像形成モードと前記両面画像形成モードとが混在するプリントジョブを実行する場合、前記片面画像形成モードでは、前記反転手段によりシートを反転させて前記第１の速度で前記後処理装置へ排出させ、前記両面画像形成モードでは、前記第２の画像形成装置で裏となる画像を形成させ、前記第１の画像形成装置で表となる画像を形成させるとともに、前記反転手段によりシートを反転させて前記第１の速度で前記後処理装置へ排出させることを特徴とする画像形成システム。
【請求項２】
前記画像形成制御手段は、前記片面画像形成モードを含まない前記両面画像形成モードのプリントジョブを実行する場合、前記第２の画像形成装置で表となる画像を形成させ、前記第１の画像形成装置で裏となる画像を形成させるとともに、前記反転手段でシートを反転させることなく前記第２の速度で前記後処理装置に排出させることを特徴とする請求項１記載の画像形成システム。
【請求項３】
前記画像形成制御手段は、前記片面画像形成モードと前記両面画像形成モードとが混在するプリントジョブを実行する場合、前記片面画像形成モードでは、前記第１の画像形成装置で画像形成を行わせることを特徴とする請求項１記載の画像形成システム。
【請求項４】
第１の画像形成装置と、前記第１の画像形成装置の上流側に接続される第２の画像形成装置とを有し、前記第１の画像形成装置から排出されるシートの搬送速度に応じてシートを受け取る速度が切り替えられる後処理装置に接続される画像形成システムにおいて、
シートの一方の面に画像形成を行い、前記後処理装置へ排出する片面画像形成モードと、シートの両面に画像形成を行い、前記後処理装置へ排出する両面画像形成モードとを実行するよう前記第１及び第２の画像形成装置を制御する画像形成制御手段と、
画像形成されたシートの表となる画像が下向きで前記後処理装置へ排出されるようにシートの表裏を反転する反転手段と、
前記反転手段により反転されたシートが第１の速度で前記後処理装置へ排出され、前記反転手段より反転されないシートが前記第１の速度よりも遅い第２の速度で前記後処理装置へ排出されるよう、シートの搬送速度を制御する速度制御手段と、を有し、
前記画像形成制御手段は、前記片面画像形成モードを含まない前記両面画像形成モードのプリントジョブを実行する場合と、前記片面画像形成モードと前記両面画像形成モードとが混在するプリントジョブを実行する場合とで、前記両面画像形成モードにおける表となる画像を形成する画像形成装置と裏となる画像を形成する画像形成装置とが逆になるよう前記第１及び第２の画像形成装置を制御し、前記片面画像形成モードを含まない前記両面画像形成モードのプリントジョブでは、前記反転手段によりシートを反転させることなく前記第２の速度で前記後処理装置へシートを排出し、前記片面画像形成モードと前記両面画像形成モードとが混在するプリントジョブでは、前記反転手段によりシートを反転させて前記第１の速度で前記後処理装置へシートを排出するよう前記反転手段を制御することを特徴とする画像形成システム。
【請求項５】
前記画像形成制御手段は、前記片面画像形成モードを含まず、前記両面画像形成モードを含むプリントジョブを実行する場合、前記第２の画像形成装置で表となる画像を形成させ、前記第１の画像形成装置で裏となる画像を形成させることを特徴とする請求項４記載の画像形成システム。
【請求項６】
第１の画像形成装置と、前記第１の画像形成装置の上流側に接続される第２の画像形成装置に、前記第１の画像形成装置から排出されるシートの搬送速度に応じてシートを受け取る速度が切り替えられる後処理装置が接続され、画像形成されたシートの表となる画像が下向きで前記後処理装置へ排出されるようにシートの表裏を反転する反転手段と、前記反転手段により反転されたシートが第１の速度で前記後処理装置へ排出され、前記反転手段により反転されないシートが前記第１の速度よりも遅い第２の速度で前記後処理装置へ排出されるよう、シートの搬送速度を制御する速度制御手段とを有する画像形成システムを制御するプリンタコントローラであって、
シートの一方の面に画像形成を行い、前記後処理装置へ排出する片面画像形成モードと、シートの両面に画像形成を行い、前記後処理装置へ排出する両面画像形成モードとを実行するよう前記第１及び第２の画像形成装置を制御する画像形成制御手段を有し、
前記画像形成制御手段は、前記片面画像形成モードと前記両面画像形成モードとが混在するプリントジョブを実行する場合、前記片面画像形成モードでは、前記反転手段によりシートを反転させて前記第１の速度で前記後処理装置へ排出させ、前記両面画像形成モードでは、前記第２の画像形成装置で裏となる画像を形成させ、前記第１の画像形成装置で表となる画像を形成させるとともに、前記反転手段によりシートを反転させて前記第１の速度で前記後処理装置へ排出させることを特徴とするプリンタコントローラ。
【請求項７】
前記画像形成制御手段は、前記片面画像形成モードを含まず、前記両面画像形成モードを含むプリントジョブを実行する場合、前記第２の画像形成装置で表となる画像を形成させ、前記第１の画像形成装置で裏となる画像を形成させるとともに、前記反転手段でシートを反転させることなく前記第２の速度で前記後処理装置に排出させることを特徴とする請求項６記載のプリンタコントローラ。
【請求項８】
第１の画像形成装置と、前記第１の画像形成装置の上流側に接続される第２の画像形成装置に、前記第１の画像形成装置から排出されるシートの搬送速度に応じてシートを受け取る速度が切り替えられる後処理装置が接続され、画像形成されたシートの表となる画像が下向きで前記後処理装置へ排出されるようにシートの表裏を反転する反転手段と、前記反転手段により反転されたシートが第１の速度で前記後処理装置へ排出され、前記反転手段により反転されないシートが前記第１の速度よりも遅い第２の速度で前記後処理装置へ排出されるよう、シートの搬送速度を制御する速度制御手段とを有する画像形成システムを制御するプリンタコントローラであって、
シートの一方の面に画像形成を行い、前記後処理装置へ排出する片面画像形成モードと、シートの両面に画像形成を行い、前記後処理装置へ排出する両面画像形成モードとを実行するよう前記第１及び第２の画像形成装置を制御する画像形成制御手段を有し、
前記画像形成制御手段は、前記片面画像形成モードを含まない前記両面画像形成モードのプリントジョブを実行する場合と、前記片面画像形成モードと前記両面画像形成モードとが混在するプリントジョブを実行する場合とで、前記両面画像形成モードにおける表となる画像を形成する画像形成装置と裏となる画像を形成する画像形成装置とが逆になるよう前記第１及び第２の画像形成装置を制御し、前記片面画像形成モードを含まない前記両面画像形成モードのプリントジョブでは、前記反転手段によりシートを反転させることなく前記第２の速度で前記後処理装置へシートを排出させ、前記片面画像形成モードと前記両面画像形成モードとが混在するプリントジョブでは、前記反転手段によりシートを反転させて前記第１の速度で前記後処理装置へシートを排出させるよう前記反転手段を制御することを特徴とするプリンタコントローラ。
【請求項９】
前記画像形成制御手段は、前記片面画像形成モードを含まず、前記両面画像形成モードを含むプリントジョブを実行する場合、前記第２の画像形成装置で表となる画像を形成させ、前記第１の画像形成装置で裏となる画像を形成させることを特徴とする請求項８記載のプリンタコントローラ。
【手続補正２】
【補正対象書類名】明細書
【補正対象項目名】００１０
【補正方法】変更
【補正の内容】
【００１０】
上記の課題を解決するために、本発明の画像形成システムは、第１の画像形成装置と、前記第１の画像形成装置の上流側に接続される第２の画像形成装置とを有し、前記第１の画像形成装置から排出されるシートの搬送速度に応じてシートを受け取る速度が切り替えられる後処理装置に接続される画像形成システムにおいて、シートの一方の面に画像形成を行い、前記後処理装置へ排出する片面画像形成モードと、シートの両面に画像形成を行い、前記後処理装置へ排出する両面画像形成モードとを実行するよう前記第１及び第２の画像形成装置を制御する画像形成制御手段と、画像形成されたシートの表となる画像が下向きで前記後処理装置へ排出されるようにシートの表裏を反転する反転手段と、前記反転手段により反転されたシートが第１の速度で前記後処理装置へ排出され、前記反転手段より反転されないシートが前記第１の速度よりも遅い第２の速度で前記後処理装置へ排出されるよう、シートの搬送速度を制御する速度制御手段と、を有し、前記画像形成制御手段は、前記片面画像形成モードと前記両面画像形成モードとが混在するプリントジョブを実行する場合、前記片面画像形成モードでは、前記反転手段によりシートを反転させて前記第１の速度で前記後処理装置へ排出させ、前記両面画像形成モードでは、前記第２の画像形成装置で裏となる画像を形成させ、前記第１の画像形成装置で表となる画像を形成させるとともに、前記反転手段によりシートを反転させて前記第１の速度で前記後処理装置へ排出させることを特徴とする。
【手続補正３】
【補正対象書類名】明細書
【補正対象項目名】００１１
【補正方法】変更
【補正の内容】
【００１１】
また、本発明の画像形成システムは、第１の画像形成装置と、前記第１の画像形成装置の上流側に接続される第２の画像形成装置とを有し、前記第１の画像形成装置から排出されるシートの搬送速度に応じてシートを受け取る速度が切り替えられる後処理装置に接続される画像形成システムにおいて、シートの一方の面に画像形成を行い、前記後処理装置へ排出する片面画像形成モードと、シートの両面に画像形成を行い、前記後処理装置へ排出する両面画像形成モードとを実行するよう前記第１及び第２の画像形成装置を制御する画像形成制御手段と、画像形成されたシートの表となる画像が下向きで前記後処理装置へ排出されるようにシートの表裏を反転する反転手段と、前記反転手段により反転されたシートが第１の速度で前記後処理装置へ排出され、前記反転手段より反転されないシートが前記第１の速度よりも遅い第２の速度で前記後処理装置へ排出されるよう、シートの搬送速度を制御する速度制御手段と、を有し、前記画像形成制御手段は、前記片面画像形成モードを含まない前記両面画像形成モードのプリントジョブを実行する場合と、前記片面画像形成モードと前記両面画像形成モードとが混在するプリントジョブを実行する場合とで、前記両面画像形成モードにおける表となる画像を形成する画像形成装置と裏となる画像を形成する画像形成装置とが逆になるよう前記第１及び第２の画像形成装置を制御し、前記片面画像形成モードを含まない前記両面画像形成モードのプリントジョブでは、前記反転手段によりシートを反転させることなく前記第２の速度で前記後処理装置へシートを排出し、前記片面画像形成モードと前記両面画像形成モードとが混在するプリントジョブでは、前記反転手段によりシートを反転させて前記第１の速度で前記後処理装置へシートを排出するよう前記反転手段を制御することを特徴とする。
【手続補正４】
【補正対象書類名】明細書
【補正対象項目名】００１２
【補正方法】変更
【補正の内容】
【００１２】
また、本発明のプリンタコントローラは、第１の画像形成装置と、前記第１の画像形成装置の上流側に接続される第２の画像形成装置に、前記第１の画像形成装置から排出されるシートの搬送速度に応じてシートを受け取る速度が切り替えられる後処理装置が接続され、画像形成されたシートの表となる画像が下向きで前記後処理装置へ排出されるようにシートの表裏を反転する反転手段と、前記反転手段により反転されたシートが第１の速度で前記後処理装置へ排出され、前記反転手段により反転されないシートが前記第１の速度よりも遅い第２の速度で前記後処理装置へ排出されるよう、シートの搬送速度を制御する速度制御手段とを有する画像形成システムを制御するプリンタコントローラであって、シートの一方の面に画像形成を行い、前記後処理装置へ排出する片面画像形成モードと、シートの両面に画像形成を行い、前記後処理装置へ排出する両面画像形成モードとを実行するよう前記第１及び第２の画像形成装置を制御する画像形成制御手段を有し、前記画像形成制御手段は、前記片面画像形成モードと前記両面画像形成モードとが混在するプリントジョブを実行する場合、前記片面画像形成モードでは、前記反転手段によりシートを反転させて前記第１の速度で前記後処理装置へ排出させ、前記両面画像形成モードでは、前記第２の画像形成装置で裏となる画像を形成させ、前記第１の画像形成装置で表となる画像を形成させるとともに、前記反転手段によりシートを反転させて前記第１の速度で前記後処理装置へ排出させることを特徴とする。
【手続補正５】
【補正対象書類名】明細書
【補正対象項目名】００１３
【補正方法】変更
【補正の内容】
【００１３】
また、本発明のプリンタコントローラは、第１の画像形成装置と、前記第１の画像形成装置の上流側に接続される第２の画像形成装置に、前記第１の画像形成装置から排出されるシートの搬送速度に応じてシートを受け取る速度が切り替えられる後処理装置が接続され、画像形成されたシートの表となる画像が下向きで前記後処理装置へ排出されるようにシートの表裏を反転する反転手段と、前記反転手段により反転されたシートが第１の速度で前記後処理装置へ排出され、前記反転手段により反転されないシートが前記第１の速度よりも遅い第２の速度で前記後処理装置へ排出されるよう、シートの搬送速度を制御する速度制御手段とを有する画像形成システムを制御するプリンタコントローラであって、  シートの一方の面に画像形成を行い、前記後処理装置へ排出する片面画像形成モードと、シートの両面に画像形成を行い、前記後処理装置へ排出する両面画像形成モードとを実行するよう前記第１及び第２の画像形成装置を制御する画像形成制御手段を有し、前記画像形成制御手段は、前記片面画像形成モードを含まない前記両面画像形成モードのプリントジョブを実行する場合と、前記片面画像形成モードと前記両面画像形成モードとが混在するプリントジョブを実行する場合とで、前記両面画像形成モードにおける表となる画像を形成する画像形成装置と裏となる画像を形成する画像形成装置とが逆になるよう前記第１及び第２の画像形成装置を制御し、前記片面画像形成モードを含まない前記両面画像形成モードのプリントジョブでは、前記反転手段によりシートを反転させることなく前記第２の速度で前記後処理装置へシートを排出させ、前記片面画像形成モードと前記両面画像形成モードとが混在するプリントジョブでは、前記反転手段によりシートを反転させて前記第１の速度で前記後処理装置へシートを排出させるよう前記反転手段を制御することを特徴とする。